(57)【要約】【課題】光ディスク上でポストレコーディング機能を比較的低速なシークタイムを有する安価なディスクドライブでも容易に実現可能な音声／映像情報記録再生装置を提供する。【解決手段】映像ファイルを記録する場合に、映像ファイルをシーク時間の３倍強に関係する時間だけ連続して光ディスクに記録する。次に、吹き替え音声を記録する場合に、吹き替え音声を一定データサイズだけ続けて記録することと並行して、記録された映像ファイルを再生することで、実時間連続再生と記録を同時に実施する。これにより、吹き替え音声を再生する場合に、映像ファイルと音声ファイルの同時再生が保証できる。【選択図】図１
2011181178.tif 000002
【特許請求の範囲】
【請求項１】
第１の音声／映像情報を第１のファイルとして記録する記録部と、
第２の音声／映像情報が記録された第２のファイルを再生する再生部と、
前記第１の音声／映像情報の記録と前記第２の音声／映像情報の再生を共に連続的に実施する同時記録再生部とを備え、
前記記録部が記録する前記第１のファイルは、前記第１の音声／映像情報の記録が可能な、物理的に連続する複数の記録単位からなる固定長の第１の音声／映像用連続データ領域の組から構成され、
前記再生部が再生する前記第２のファイルは、第２の音声／映像用連続データ領域の組から構成され、前記第２の音声／映像用連続データ領域は、少なくとも読み書きヘッドの最大移動時間の３倍の時間と、一つの前記第１の音声／映像用連続データ領域への書き込み時間との合計の時間分の前記第２の音声／映像情報を余分に確保するまで、前記第２の音声／映像情報の連続読み出しが可能な、物理的に連続する複数の記録単位から構成されることを特徴とする音声／映像情報記録再生装置。
【請求項２】
第１の音声／映像情報を第１のファイルとして記録する記録部と、
第２の音声／映像情報が記録された第２のファイルを再生する再生部と、
前記第１の音声／映像情報の記録と前記第２の音声／映像情報の再生を共に連続的に実施する同時記録再生部とを備え、
前記記録部が記録する前記第１のファイルは、前記第１の音声／映像情報の記録が可能な、物理的に連続する複数の記録単位からなる所定のデータサイズ以上の第１の音声／映像用連続データ領域の組から構成され、
前記再生部が再生する前記第２のファイルは、第２の音声／映像用連続データ領域の組から構成され、前記第２の音声／映像用連続データ領域は、少なくとも読み書きヘッドの最大移動時間の４倍の時間と、一つの前記第１の音声／映像用連続データ領域への書き込み時間との合計の時間分の前記第２の音声／映像情報を余分に確保するまで、前記第２の音声／映像情報の連続読み出しが可能な、物理的に連続する複数の記録単位から構成されることを特徴とする音声／映像情報記録再生装置。
【請求項３】
第１の音声／映像情報が記録された第１のファイルを再生する第１の再生部と、
第２の音声／映像情報が記録された第２のファイルを再生する第２の再生部と、
前記第１の音声／映像情報の再生と前記第２の音声／映像情報の再生を共に連続的に実施する同時再生部とを備え、
前記第１の再生部が再生する前記第１のファイルは、前記第１の音声／映像情報の記録が可能な、物理的に連続する複数の記録単位からなる固定長の第１の音声／映像用連続データ領域の組から構成され、
前記第２の再生部が再生する前記第２のファイルは、第２の音声／映像用連続データ領域の組から構成され、前記第２の音声／映像用連続データ領域は、少なくとも読み書きヘッドの最大移動時間の３倍の時間と、一つの前記第１の音声／映像用連続データ領域からの読み出し時間との合計の時間分の前記第２の音声／映像情報を余分に確保するまで、前記第２の音声／映像情報の連続読み出しが可能な、物理的に連続する複数の記録単位から構成されることを特徴とする音声／映像情報記録再生装置。
【請求項４】
第１の音声／映像情報が記録された第１のファイルを再生する第１の再生部と、
第２の音声／映像情報が記録された第２のファイルを再生する第２の再生部と、
前記第１の音声／映像情報の再生と前記第２の音声／映像情報の再生を共に連続的に実施する同時再生部とを備え、
前記第１の再生部が再生する前記第１のファイルは、前記第１の音声／映像情報の記録が可能な、物理的に連続する複数の記録単位からなる所定のデータサイズ以上の第１の音声／映像用連続データ領域の組から構成され、
前記第２の再生部が再生する前記第２のファイルは、第２の音声／映像用連続データ領域の組から構成され、前記第２の音声／映像用連続データ領域は、少なくとも読み書きヘッドの最大移動時間の４倍の時間と、一つの前記第１の音声／映像用連続データ領域からの読み出し時間との合計の時間分の前記第２の音声／映像情報を余分に確保するまで、前記第２の音声／映像情報の連続読み出しが可能な、物理的に連続する複数の記録単位から構成されることを特徴とする音声／映像情報記録再生装置。
【請求項５】
音声情報を音声ファイルとして記録する音声記録部と、
映像情報が記録された映像ファイルを再生する映像再生部と、
前記音声情報の記録と前記映像情報の再生を共に連続的に実施するポストレコーディング用記録部とを備え、
前記音声記録部が記録する前記音声ファイルは、前記音声情報の記録が可能な、物理的に連続する複数の記録単位からなる固定長の音声用連続データ領域の組から構成され、
前記映像再生部が再生する前記映像ファイルは、少なくとも読み書きヘッドの最大移動時間の３倍の時間と、一つの前記音声用連続データ領域への書き込み時間との合計の時間分の前記映像情報を余分に確保するのに要する時間以上の間、前記映像情報の再生が可能な、物理的に連続する複数の記録単位からなる映像用連続データ領域の組から構成されることを特徴とする音声／映像情報記録再生装置。
【請求項６】
音声情報を音声ファイルとして記録する音声記録部と、
映像情報が記録された映像ファイルを再生する映像再生部と、
前記音声情報の記録と前記映像情報の再生を共に連続的に実施するポストレコーディング用記録部とを備え、
前記音声記録部が記録する前記音声ファイルは、前記音声情報の記録が可能な、物理的に連続する複数の記録単位からなる所定のデータサイズ以上の音声用連続データ領域の組から構成され、
前記映像再生部が再生する前記映像ファイルは、少なくとも読み書きヘッドの最大移動時間の４倍の時間と、一つの前記音声用連続データ領域への書き込み時間との合計の時間分の前記映像情報を余分に確保するのに要する時間以上の間、前記映像情報の再生が可能な、物理的に連続する複数の記録単位からなる映像用連続データ領域の組から構成されることを特徴とする音声／映像情報記録再生装置。
【請求項７】
音声情報が記録された音声ファイルを再生する音声再生部と、
映像情報が記録された映像ファイルを再生する映像再生部と、
前記音声情報の再生と前記映像情報の再生を共に連続的に実施するポストレコーディング用再生部とを備え、
前記音声再生部が再生する前記音声ファイルは、前記音声情報の記録が可能な、物理的に連続する複数の記録単位からなる固定長の音声用連続データ領域の組から構成され、
前記映像再生部が再生する前記映像ファイルは、少なくとも読み書きヘッドの最大移動時間の３倍の時間と、一つの前記音声用連続データ領域からの読み出し時間との合計の時間分の前記映像情報を余分に確保するのに要する時間以上の間、前記映像情報の再生が可能な、物理的に連続する複数の記録単位からなる映像用連続データ領域の組から構成されることを特徴とする音声／映像情報記録再生装置。
【請求項８】
音声情報が記録された音声ファイルを再生する音声再生部と、
映像情報が記録された映像ファイルを再生する映像再生部と、
前記音声情報の再生と前記映像情報の再生を共に連続的に実施するポストレコーディング用再生部とを備え、
前記音声再生部が再生する前記音声ファイルは、前記音声情報の記録が可能な、物理的に連続する複数の記録単位からなる所定のデータサイズ以上の音声用連続データ領域の組から構成され、
前記映像再生部が再生する前記映像ファイルは、少なくとも読み書きヘッドの最大移動時間の４倍の時間と、一つの前記音声用連続データ領域からの読み出し時間との合計の時間分の前記映像情報を余分に確保するのに要する時間以上の間、前記映像情報の再生が可能な、物理的に連続する複数の記録単位からなる映像用連続データ領域の組から構成されることを特徴とする音声／映像情報記録再生装置。
【請求項９】
前記第１の音声／映像用連続データ領域への書き込み時間は、前記第１の音声／映像用連続データ領域から前記第１の音声／映像情報を読み出す時間と同じか、または前記第１の音声／映像用連続データ領域から前記第１の音声／映像情報を読み出す時間を超えることを特徴とする請求項１または２記載の音声／映像情報記録再生装置。
【請求項１０】
前記音声用連続データ領域への書き込み時間は、前記音声用連続データ領域から前記音声情報を読み出す時間と同じか、または前記音声用連続データ領域から前記音声情報を読み出す時間を超えることを特徴とする請求項５または６記載の音声／映像情報記録再生装置。
【請求項１１】
前記同時再生部は、前記第１のファイルおよび前記第２のファイルを読み出してそれぞれ前記第１の音声／映像情報および前記第２の音声／映像情報として再生する際に、読み出し済みの再生すべき前記第１の音声／映像情報が第１の所定データ量以下になった場合に、前記第１のファイルの読み出しを実施し、前記読み出し済みの再生すべき前記第１の音声／映像情報が第２の所定データ量を超える場合は、前記第２のファイルの読み出しを実施することを特徴とする請求項３または４記載の音声／映像情報記録再生装置。
【請求項１２】
記録された複数の静止画像情報を指定された順序で再生する映像再生部と、
記録された音声情報を再生する音声再生部と、
前記静止画像情報および前記音声情報を共に連続的に再生するポストレコーディング用再生部とを備え、
前記静止画像情報は静止画像用連続データ領域に記録され、
前記音声情報は固定データサイズの音声用連続データ領域の組に記録され、
前記映像再生部は、少なくとも読み書きヘッドの最大移動時間の２倍の時間と、一つの前記音声用連続データ領域からの読み出し時間と、一つの前記静止画像用連続データ領域からの読み出し時間とを合計した時間以上の間、ひとつの前記静止画像情報を表示し続けることを特徴とする音声／映像情報記録再生装置。
【請求項１３】
記録された複数の静止画像情報をそれぞれ指定された表示期間ずつ、指定された順序で再生する映像再生部と、
記録された音声情報を再生する音声再生部と、
前記静止画像情報および前記音声情報を共に連続的に再生するポストレコーディング用再生部とを備え、
前記静止画像情報は静止画像用連続データ領域に記録され、
前記音声情報は固定データサイズの音声用連続データ領域の組に記録され、
前記表示期間は、少なくとも読み書きヘッドの最大移動時間の２倍の時間と、一つの前記音声用連続データ領域からの読み出し時間と、一つの前記静止画像用連続データ領域からの読み出し時間とを合計した時間以上であることを特徴とする音声／映像情報記録再生装置。
【請求項１４】
記録された複数の静止画像情報を指定された順序で再生する映像再生部と、
音声情報を記録する音声記録部と、
前記静止画像情報の再生および前記音声情報の記録を共に連続的に実施するポストレコーディング用記録部とを備え、
前記静止画像情報は静止画像用連続データ領域に記録され、
前記音声情報は固定データサイズの音声用連続データ領域の組に記録され、
前記映像再生部は、少なくとも読み書きヘッドの最大移動時間の２倍の時間と、一つの前記音声用連続データ領域への書き込み時間と、一つの前記静止画像用連続データ領域からの読み出し時間とを合計した時間以上の間、ひとつの前記静止画像情報を表示し続けることを特徴とする音声／映像情報記録再生装置。
【請求項１５】
記録された複数の静止画像情報をそれぞれ指定された表示期間だけ指定された順序で再生する映像再生部と、
音声情報を記録する音声記録部と、
前記静止画像情報の再生および前記音声情報の記録を共に連続的に実施するポストレコーディング用記録部とを備え、
前記静止画像情報は静止画像用連続データ領域に記録され、
前記音声情報は固定データサイズの音声用連続データ領域の組に記録され、
前記表示期間は、少なくとも読み書きヘッドの最大移動時間の２倍の時間と、一つの前記音声用連続データ領域への書き込み時間と、一つの前記静止画像用連続データ領域からの読み出し時間とを合計した時間以上であることを特徴とする音声／映像情報記録再生装置。
【請求項１６】
第１の音声／映像情報を第１のファイルとして記録する工程と、
第２の音声／映像情報が記録された第２のファイルを再生する工程と、
前記第１の音声／映像情報の記録工程と第２の音声／映像情報の再生工程とを共に連続的に実施する工程とを含み、
前記第１のファイルは、前記第１の音声／映像情報の記録が可能な、物理的に連続する複数の記録単位からなる固定長の第１の音声／映像用連続データ領域の組から構成され、
前記第２のファイルは、第２の音声／映像用連続データ領域の組から構成され、前記第２の音声／映像用連続データ領域は、少なくとも読み書きヘッドの最大移動時間の３倍の時間と、一つの前記第１の音声／映像用連続データ領域への書き込み時間との合計の時間分の前記第２の音声／映像情報を余分に確保するまで、前記第２の音声／映像情報の連続読み出しが可能な、物理的に連続する複数の記録単位から構成されることを特徴とする音声／映像情報記録再生方法。
【請求項１７】
第１の音声／映像情報を第１のファイルとして記録する工程と、
第２の音声／映像情報が記録された第２のファイルを再生する工程と、
前記第１の音声／映像情報の記録工程と第２の音声／映像情報の再生工程とを共に連続的に実施する工程とを含み、
前記第１のファイルは、前記第１の音声／映像情報の記録が可能な、物理的に連続する複数の記録単位からなる所定のデータサイズ以上の第１の音声／映像用連続データ領域の組から構成され、
前記第２のファイルは、第２の音声／映像用連続データ領域の組から構成され、前記第２の音声／映像用連続データ領域は、少なくとも読み書きヘッドの最大移動時間の４倍の時間と、一つの前記第１の音声／映像用連続データ領域への書き込み時間との合計の時間分の前記第２の音声／映像情報を余分に確保するまで、前記第２の音声／映像情報の連続読み出しが可能な、物理的に連続する複数の記録単位から構成されることを特徴とする音声／映像情報記録再生方法。
【請求項１８】
第１の音声／映像情報が記録された第１のファイルを再生する工程と、
第２の音声／映像情報が記録された第２のファイルを再生する工程と、
前記第１の音声／映像情報の再生工程と第２の音声／映像情報の再生工程とを共に連続的に実施する工程とを含み、
前記第１のファイルは、前記第１の音声／映像情報の記録が可能な、物理的に連続する複数の記録単位からなる固定長の第１の音声／映像用連続データ領域の組から構成され、
前記第２のファイルは、第２の音声／映像用連続データ領域の組から構成され、前記第２の音声／映像用連続データ領域は、少なくとも読み書きヘッドの最大移動時間の３倍の時間と、一つの前記第１の音声／映像用連続データ領域の読み出し時間との合計の時間分の前記第２の音声／映像情報を余分に確保するまで、前記第２の音声／映像情報の連続読み出しが可能な、物理的に連続する複数の記録単位から構成されることを特徴とする音声／映像情報記録再生方法。
【請求項１９】
第１の音声／映像情報が記録された第１のファイルを再生する工程と、
第２の音声／映像情報が記録された第２のファイルを再生する工程と、
前記第１の音声／映像情報の再生工程と第２の音声／映像情報の再生工程とを共に連続的に実施する工程とを含み、
前記第１のファイルは、前記第１の音声／映像情報の記録が可能な、物理的に連続する複数の記録単位からなる所定のデータサイズ以上の第１の音声／映像用連続データ領域の組から構成され、
前記第２のファイルは、第２の音声／映像用連続データ領域の組から構成され、前記第２の音声／映像用連続データ領域は、少なくとも読み書きヘッドの最大移動時間の４倍の時間と、一つの前記第１の音声／映像用連続データ領域の読み出し時間との合計の時間分の前記第２の音声／映像情報を余分に確保するまで、前記第２の音声／映像情報の連続読み出しが可能な、物理的に連続する複数の記録単位から構成されることを特徴とする音声／映像情報記録再生方法。
【請求項２０】
静止画像用連続データ領域に記録された複数の静止画像情報を指定された順序で再生する工程と、
固定データサイズの音声用連続データ領域の組に記録された音声情報を再生する工程と、
前記静止画像情報の再生工程と前記音声情報の再生工程を共に連続的に実施する工程とを含み、
前記静止画像情報の再生工程において、少なくとも読み書きヘッドの最大移動時間の２倍の時間と、一つの前記音声用連続データ領域を読み出す時間と、一つの前記静止画像用連続データ領域を読み出す時間とを合計した時間以上の間、ひとつの前記静止画像情報を表示し続けることを特徴とする音声／映像情報記録再生方法。
【請求項２１】
静止画像用連続データ領域に記録された複数の静止画像情報を指定された順序で再生する工程と、
固定データサイズの音声用連続データ領域の組に音声情報を記録する工程と、
前記静止画像情報の再生工程と前記音声情報の記録工程を共に連続的に実施する工程とを含み、
前記静止画像情報の再生工程において、少なくとも読み書きヘッドの最大移動時間の２倍の時間と、一つの前記音声用連続データ領域への書き込み時間と、一つの前記静止画像用連続データ領域からの読み出し時間とを合計した時間以上の間、ひとつの前記静止画像情報を表示し続ける工程とを含むことを特徴とする音声／映像情報記録再生方法。
【発明の詳細な説明】
【技術分野】
【０００１】
本発明は、映像信号及び音声信号を圧縮して光ディスク等の記録媒体へ記録する音声／映像情報記録再生装置および方法に関する。
【背景技術】
【０００２】
映像を低いビットレートで圧縮する方法として、ＭＰＥＧ２規格（ISO/IEC 13818-1）で規定されているシステムストリームがある。このシステムストリームとしては、プログラムストリーム、トランスポートストリーム及びＰＥＳストリームの３種類が規定されている。
【０００３】
一方、磁気テープに代わる記録媒体としては、相変化光ディスク（例えば、ＤＶＤ−ＲＡＭやＭＶＤＩＳＣ）や光磁気ディスク（ＭＯ）等の光ディスクが注目を浴びてきている。例えば、ＤＶＤ−ＲＡＭ上に映像を記録するための規格として、VIDEO RECORDING規格(DVD Specifications for Rewritable/Re-recordable Discs Part 3 VIDEO RECORDING Version 1.0 September 1999)がある。この規格は、ＤＶＤ−ＲＡＭディスクに対して、ＭＰＥＧ２規格のプログラムストリームから成る映像ファイルを記録再生するためのものである。以下では、相変化光ディスク（以下、混乱の無い限り、単に「光ディスク」と呼ぶ）に対して、ＭＰＥＧ２のトランスポートストリームから成る映像ファイルを記録再生する場合に置き換えて説明することにより、VIDEO RECORDING規格の技術内容を含んだ形で従来の技術内容を説明する。また、映像はISO/IEC 13818-1のMPEG2圧縮とし、音声を圧縮処理する場合はISO/IEC 13818-7のMEPG2-AAC（Advanced Audio Cording）圧縮するものとする。
【０００４】
図１６に、従来の相変化光ディスクを使った音声／映像情報記録再生装置の構成図を示す。映像信号および音声信号の記録時は、映像信号入力部１００及び音声信号入力部１０２から入力した信号を各々映像圧縮部１０１及び音声圧縮部１０３で圧縮し、次にトランスポートストリーム組立部１０４においてポストレコーディング用ダミーパケット発生部１０５が生成するダミーパケットを圧縮結果に混合してトランスポートストリームを作成し、それをバッファメモリ１５４、記録部１２０及びピックアップ１３０を経由して相変化光ディスク１３１へ書き込む。
【０００５】
映像信号および音声信号の再生時は、ピックアップ１３０、再生部１２１およびバッファメモリ１５４を経由して取り出したトランスポートストリームをトランスポートストリーム分解部１１５で映像信号と音声信号に分離し、各々映像伸長部１１１及び第１音声伸長部１１３を介して、映像表示部１１０及び音声出力部１１２へ出力する。また、第２音声伸長部１１４は、トランスポートストリーム内に裏音声（後述）が記録された場合に、この裏音声の再生に用いるものである。
【０００６】
映像信号および音声信号の記録時には、記録制御部１５１が、記録部１２０、連続データ領域検出部１５０および論理ブロック管理部１４１の制御を行ない、記録を実施する。このとき、連続データ領域検出部１５０は、記録制御部１５１の指示に応じて、論理ブロック管理部１４１で管理されるセクタの使用状況を調べて、物理的に連続する空き領域を検出する。
【０００７】
映像信号および音声信号の再生時には、再生制御部１４０が、再生部１２１および記録部１２０の制御を行ない、再生を実施する。また、ポストレコーディング用記録制御部１５２およびポストレコーディング用再生制御部１５３は後述するポストレコーディング時に起動される。
【０００８】
なお、以下では「映像信号および音声信号の記録」を「動画信号の記録」と呼ぶことにする。また同様に「映像および音声の記録」を「動画の記録」と呼ぶことにする。
【０００９】
また、図１７は、相変化光ディスク１３１にリアルタイムで映像記録する場合の記録フォーマットを示す。相変化光ディスク１３１は２ｋバイトのセクタから構成され、１６個のセクタを１つの論理ブロック（３２ｋバイト）として取り扱い、この論理ブロックごとに誤り訂正符号を付与して相変化光ディスク１３１へ記録する。さらに、最大記録再生レート換算で特定時間（例えば、後述の様に、０．８６秒）以上の物理的に連続する論理ブロックを１つの連続データ領域として確保し、この領域へ、０．４〜１秒分の再生時間（表示時間）のＭＰＥＧトランスポートストリームからなる、ビデオ・オブジェクト・ユニット（Video Object Unit：以下、「ＶＯＢＵ」という）を順に記録する。なお、ひとつのＶＯＢＵは、原則的にすべて単独で復号可能な映像および音声圧縮データを含むものとする。すなわち、映像および音声圧縮データは１ＶＯＢＵ内で完結しているものとする。
【００１０】
１つのＶＯＢＵは、１８８バイト単位のＭＰＥＧトランスポートストリームの下位階層であるトランスポートパケットから構成される。トランスポートパケットは、ビデオ圧縮データが格納されたビデオトランスポートパケット（Ｖ＿ＴＳＰ）と、オーディオ圧縮データが格納されたオーディオトランスポートパケット（Ａ＿ＴＳＰ）と、ダミーオーディオトランスポートパケット（Ｄ＿ＴＳＰ）の３種類から構成される。また、１つのＶＯＢＵには、対応する時間のＶ＿ＴＳＰ、Ａ＿ＴＳＰおよびＤ＿ＴＳＰが全て含まれる。また、１つのＶＯＢＵのデータサイズは、映像が可変ビットレートであれば、最大記録再生レート以下の範囲で変動する。一方、映像が固定ビットレートであれば、ＶＯＢＵのデータサイズはほぼ一定である。
【００１１】
図１８は、Ｖ＿ＴＳＰ、Ａ＿ＴＳＰおよびＤ＿ＴＳＰの詳細を示す図である。Ｖ＿ＴＳＰは、トランスポートパケットヘッダとビデオデータから構成され、Ａ＿ＴＳＰは、トランスポートパケットヘッダとオーディオデータから構成され、Ｄ＿ＴＳＰは、トランスポートパケットヘッダと裏音声用ダミーデータから構成される。Ｖ＿ＴＳＰ、Ａ＿ＴＳＰ、Ｄ＿ＴＳＰ間の違いは、トランスポートパケットヘッダ内のＰＩＤ（Packet ID）で識別される。例えば、図の様に、Ｖ＿ＴＳＰにはＰＩＤ＝“０ｘ００２０”、Ａ＿ＴＳＰにはＰＩＤ＝“０ｘ００２１”、Ｄ＿ＴＳＰにはＰＩＤ＝“０ｘ００２２”を割り付けることにより、それぞれ識別される。
【００１２】
図１６に示す音声／映像情報記録再生装置の連続データ領域検出部１５０は、１つの連続データ領域の残りが少なくなった時点で、次の連続データ領域の再検出を行なう。そして、１つの連続データ領域が一杯になると、次の連続データ領域に書き込みを行なう。
【００１３】
また、図１９は、光ディスク上の記録内容がＵＤＦ（Universal Disk Format）ファイルシステムによって管理されている状態を示す。ここでは、記録開始ボタンのオンとオフの各１回の操作により、１つのＭＰＥＧトランスポートストリームがファイル「ＭＯＶＩＥ．ＭＰＧ」として記録される場合を示す。ファイルは、ファイル名及びファイル・エントリの位置が、ＦＩＤ（File Identifier Descriptor）で管理される。さらに、ファイル・エントリ内のアロケーション・ディスクリプタ（Allocation Descriptor）を使って、１つのファイルとそのファイルを構成する３つの連続データ領域ａ、ｂ、ｃを管理する。連続データ領域が３つに分れる経緯を次に示す。なお、各アロケーション・ディスクリプタの構造は、図２０に示すように、エクステント長（Extent Length）とエクステント位置（Extent Position）とから成る。
【００１４】
記録制御部１５１は、連続データ領域ａへの記録中に不良論理ブロックを見つけると、その不良論理ブロックをスキップして、連続データ領域ｂの先頭から書き込みを継続する。さらに、記録制御部１５１は、連続データ領域ｂへの記録中にＰＣファイルの記録領域とぶつかりそうになると、今度は連続データ領域ｃの先頭から書き込みを継続する。この結果、ファイル「ＭＯＶＩＥ．ＭＰＧ」は３つの連続データ領域ａ、ｂ、ｃから構成されることになる。
【００１５】
図２１は、ファイルの再生時の動作概要を示す。再生時は、再生制御部１４０が、光ディスク１３１からバッファメモリ１５４へのデータの読み込み動作と、バッファメモリ１５４からトランスポートストリーム分解部１１５へのデータ移動によるデータの再生動作を同時に実施する。このとき、データの再生速度Ｖｏよりもデータの読出速度Ｖｒの方が高速となるように設定し、再生すべきデータがバッファメモリ１５４内に無いこと（アンダーフロー）が起きないように制御を行う。従って、連続したデータ読み込み及び連続したデータ再生を続けると、データ再生速度Ｖｏとデータ読出速度Ｖｒとの速度差分だけ、再生すべきデータを余分に確保できることになる。かかる余分に確保できるデータを、ピックアップ１３０のジャンプによりデータ読み込みが途絶える間の再生データとして使うことにより、連続再生を実現することができる。
【００１６】
具体的には、データ読出速度Ｖｒが２４Ｍｂｐｓ、データ再生速度Ｖｏが１０Ｍｂｐｓ、ピックアップ１３０の最大移動時間が０．５秒の場合、ピックアップ移動中に５Ｍビットの余分な再生データが必要になる。かかる余分な再生データを確保するためには、０．３６秒間の連続読み込みが必要になる。すなわち、５Ｍビットをデータ読出速度２４Ｍｂｐｓとデータ再生速度１０Ｍｂｐｓの差で割った時間だけ連続読み込みする必要がある。
【００１７】
ここで、０．３６秒間の連続読み込みの間に８．６Ｍビット分、すなわち１０Ｍｂｐｓの再生速度換算で０．８６秒分の再生データを読み出すことになる。したがって、最大１０Ｍｂｐｓの動画を０．８６秒分以上の連続データ領域を確保して記録することで、連続データ再生を保証することが可能となる。
【００１８】
なお、ピックアップ１３０の最大移動時間はディスクの最内周と最外周間の移動時間を指す。また、この時間に、回転待ち時間も含まれるものとする。
【００１９】
なお、連続データ領域の途中には、数個の不良論理ブロックがあっても良い。ただし、この場合には、再生時にかかる不良論理ブロックを読み込むのに必要な読み込み時間を見越して、連続データ領域を０．８６秒分よりも少し多めに確保する必要が有る。
【００２０】
また、民生用ムービーに通常備わっている機能の一つにポストレコーディングがある。ポストレコーディングは、一度記録した映像の音声（以下、表音声という）を新規録音した音声（以下、裏音声という）に吹き替える機能である。
【００２１】
ポストレコーディングは、一般に次の３つのステップから構成される。第１ステップとして、まず映像をポストレコーディング可能な記録モードで記録する（以下、「ポストレコーディングモード記録」と呼ぶ）。第２ステップとして、記録した映像を見ながら、その映像に同期した裏音声を記録する（以下、「ポストレコーディング記録」と呼ぶ）。第３ステップとして、第２ステップの映像と裏音声を同期させて再生する（以下、「ポストレコーディング再生」と呼ぶ）。これらのステップで、吹き替えが実現する。
【００２２】
ここで、第１ステップでは、ポストレコーディング用記録制御部１５２が、Ｖ＿ＴＳＰ、Ａ＿ＴＳＰおよびＤ＿ＴＳＰを含むＭＰＥＧトランスポートストリームを記録する。第２ステップでは、ポストレコーディング用記録制御部１５２が、Ｄ＿ＴＳＰを裏音声用Ａ＿ＴＳＰに置き換えて光ディスク１３１へ記録する。第３ステップでは、ポストレコーディング用再生制御部１５３が、表音声用Ａ＿ＴＳＰ、裏音声用Ａ＿ＴＳＰおよびＶ＿ＴＳＰをトランスポートストリーム分解部１１５へ渡す様に制御して吹き替えを実現する。
【００２３】
なお、以下では、ポストレコーディングモード記録時に記録する映像と音声を含むファイルを動画ファイル呼ぶ。
【００２４】
また、ポストレコーディングの必要が無い場合は、Ｄ＿ＴＳＰを含めないで、Ａ＿ＴＳＰとＶ＿ＴＳＰから構成される動画ファイルを記録する。
【００２５】
また、ポストレコーディングモード記録された動画ファイルを再生制御部１４０が再生する場合は、Ｄ＿ＴＳＰをトランスポートストリーム分解部１１５へ渡さないで、Ａ＿ＴＳＰとＶ＿ＴＳＰを渡す。
【発明の開示】
【発明が解決しようとする課題】
【００２６】
ポストレコーディング記録時に、映像を見ながら裏音声を記録する場合、映像の再生処理と同時に、裏音声を含んだ映像の再記録処理が必要となる。具体的には、ポストレコーディング用再生制御部１５３が再生するストリームをバッファ上に保存しておき、そのストリーム内のＤ＿ＴＳＰを裏音声用Ａ＿ＴＳＰに置き換えて、再度ディスク上へ書き戻すことになる。すなわち、映像の記録レートでの連続再生と同じレートでの連続記録を同時に実施する必要がある。この同時記録再生処理を実現するには、高い転送レートと高速なシークタイムを実現する必要があるり、高価なディスクドライブが必要であった。
【００２７】
そこで、本発明は、上記問題点を解消すべく、光ディスク上でポストレコーディング機能を比較的低速なシークタイムを有する安価なディスクドライブでも容易に実現することが可能な音声／映像情報記録再生装置および方法を提供することを目的とする。
【課題を解決するための手段】
【００２８】
前記の目的を達成するため、本発明に係る第１の音声／映像情報記録再生装置は、第１の音声／映像情報を第１のファイルとして記録する記録部と、第２の音声／映像情報が記録された第２のファイルを再生する再生部と、第１の音声／映像情報の記録と第２の音声／映像情報の再生を共に連続的に実施する同時記録再生部とを備え、記録部が記録する第１のファイルは、第１の音声／映像情報の記録が可能な、物理的に連続する複数の記録単位からなる固定長の第１の音声／映像用連続データ領域の組から構成され、再生部が再生する第２のファイルは、第２の音声／映像用連続データ領域の組から構成され、第２の音声／映像用連続データ領域は、少なくとも読み書きヘッドの最大移動時間の３倍の時間と、一つの第１の音声／映像用連続データ領域への書き込み時間との合計の時間分の第２の音声／映像情報を余分に確保するまで、第２の音声／映像情報の連続読み出しが可能な、物理的に連続する複数の記録単位から構成されることを特徴とする。
【００２９】
前記の目的を達成するため、本発明に係る第２の音声／映像情報記録再生装置は、第１の音声／映像情報を第１のファイルとして記録する記録部と、第２の音声／映像情報が記録された第２のファイルを再生する再生部と、第１の音声／映像情報の記録と第２の音声／映像情報の再生を共に連続的に実施する同時記録再生部とを備え、記録部が記録する第１のファイルは、第１の音声／映像情報の記録が可能な、物理的に連続する複数の記録単位からなる所定のデータサイズ以上の第１の音声／映像用連続データ領域の組から構成され、再生部が再生する第２のファイルは、第２の音声／映像用連続データ領域の組から構成され、第２の音声／映像用連続データ領域は、少なくとも読み書きヘッドの最大移動時間の４倍の時間と、一つの第１の音声／映像用連続データ領域への書き込み時間との合計の時間分の第２の音声／映像情報を余分に確保するまで、第２の音声／映像情報の連続読み出しが可能な、物理的に連続する複数の記録単位から構成されることを特徴とする。
【００３０】
前記の目的を達成するため、本発明に係る第３の音声／映像情報記録再生装置は、第１の音声／映像情報が記録された第１のファイルを再生する第１の再生部と、第２の音声／映像情報が記録された第２のファイルを再生する第２の再生部と、第１の音声／映像情報の再生と前記第２の音声／映像情報の再生を共に連続的に実施する同時再生部とを備え、第１の再生部が再生する第１のファイルは、第１の音声／映像情報の記録が可能な、物理的に連続する複数の記録単位からなる固定長の第１の音声／映像用連続データ領域の組から構成され、第２の再生部が再生する第２のファイルは、第２の音声／映像用連続データ領域の組から構成され、第２の音声／映像用連続データ領域は、少なくとも読み書きヘッドの最大移動時間の３倍の時間と、一つの第１の音声／映像用連続データ領域からの読み出し時間との合計の時間分の第２の音声／映像情報を余分に確保するまで、第２の音声／映像情報の連続読み出しが可能な、物理的に連続する複数の記録単位から構成されることを特徴とする。
【００３１】
前記の目的を達成するため、本発明に係る第４の音声／映像情報記録再生装置は、第１の音声／映像情報が記録された第１のファイルを再生する第１の再生部と、第２の音声／映像情報が記録された第２のファイルを再生する第２の再生部と、第１の音声／映像情報の再生と第２の音声／映像情報の再生を共に連続的に実施する同時再生部とを備え、第１の再生部が再生する第１のファイルは、第１の音声／映像情報の記録が可能な、物理的に連続する複数の記録単位からなる所定のデータサイズ以上の第１の音声／映像用連続データ領域の組から構成され、第２の再生部が再生する第２のファイルは、第２の音声／映像用連続データ領域の組から構成され、第２の音声／映像用連続データ領域は、少なくとも読み書きヘッドの最大移動時間の４倍の時間と、一つの第１の音声／映像用連続データ領域からの読み出し時間との合計の時間分の第２の音声／映像情報を余分に確保するまで、第２の音声／映像情報の連続読み出しが可能な、物理的に連続する複数の記録単位から構成されることを特徴とする。
【００３２】
前記の目的を達成するため、本発明に係る第５の音声／映像情報記録再生装置は、音声情報を音声ファイルとして記録する音声記録部と、映像情報が記録された映像ファイルを再生する映像再生部と、音声情報の記録と映像情報の再生を共に連続的に実施するポストレコーディング用記録部とを備え、音声記録部が記録する音声ファイルは、音声情報の記録が可能な、物理的に連続する複数の記録単位からなる固定長の音声用連続データ領域の組から構成され、映像再生部が再生する映像ファイルは、少なくとも読み書きヘッドの最大移動時間の３倍の時間と、一つの音声用連続データ領域への書き込み時間との合計の時間分の映像情報を余分に確保するのに要する時間以上の間、映像情報の再生が可能な、物理的に連続する複数の記録単位からなる映像用連続データ領域の組から構成されることを特徴とする。
【００３３】
前記の目的を達成するため、本発明に係る第６の音声／映像情報記録再生装置は、音声情報を音声ファイルとして記録する音声記録部と、映像情報が記録された映像ファイルを再生する映像再生部と、音声情報の記録と映像情報の再生を共に連続的に実施するポストレコーディング用記録部とを備え、音声記録部が記録する音声ファイルは、音声情報の記録が可能な、物理的に連続する複数の記録単位からなる所定のデータサイズ以上の音声用連続データ領域の組から構成され、映像再生部が再生する映像ファイルは、少なくとも読み書きヘッドの最大移動時間の４倍の時間と、一つの音声用連続データ領域への書き込み時間との合計の時間分の映像情報を余分に確保するのに要する時間以上の間、映像情報の再生が可能な、物理的に連続する複数の記録単位からなる映像用連続データ領域の組から構成されることを特徴とする。
【００３４】
前記の目的を達成するため、本発明に係る第７の音声／映像情報記録再生装置は、音声情報が記録された音声ファイルを再生する音声再生部と、映像情報が記録された映像ファイルを再生する映像再生部と、音声情報の再生と映像情報の再生を共に連続的に実施するポストレコーディング用再生部とを備え、音声再生部が再生する前記音声ファイルは、音声情報の記録が可能な、物理的に連続する複数の記録単位からなる固定長の音声用連続データ領域の組から構成され、映像再生部が再生する映像ファイルは、少なくとも読み書きヘッドの最大移動時間の３倍の時間と、一つの音声用連続データ領域からの読み出し時間との合計の時間分の映像情報を余分に確保するのに要する時間以上の間、映像情報の再生が可能な、物理的に連続する複数の記録単位からなる映像用連続データ領域の組から構成されることを特徴とする。
【００３５】
前記の目的を達成するため、本発明に係る第８の音声／映像情報記録再生装置は、音声情報が記録された音声ファイルを再生する音声再生部と、映像情報が記録された映像ファイルを再生する映像再生部と、音声情報の再生と映像情報の再生を共に連続的に実施するポストレコーディング用再生部とを備え、音声再生部が再生する音声ファイルは、音声情報の記録が可能な、物理的に連続する複数の記録単位からなる所定のデータサイズ以上の音声用連続データ領域の組から構成され、映像再生部が再生する映像ファイルは、少なくとも読み書きヘッドの最大移動時間の４倍の時間と、一つの音声用連続データ領域からの読み出し時間との合計の時間分の映像情報を余分に確保するのに要する時間以上の間、映像情報の再生が可能な、物理的に連続する複数の記録単位からなる映像用連続データ領域の組から構成されることを特徴とする。
【００３６】
第１および第２の音声／映像情報記録再生装置において、第１の音声／映像用連続データ領域への書き込み時間は、第１の音声／映像用連続データ領域から第１の音声／映像情報を読み出す時間と同じか、または第１の音声／映像用連続データ領域から第１の音声／映像情報を読み出す時間を超えることが好ましい。
【００３７】
第５および第６の音声／映像情報記録再生装置において、音声用連続データ領域への書き込み時間は、音声用連続データ領域から音声情報を読み出す時間と同じか、または音声用連続データ領域から音声情報を読み出す時間を超えることが好ましい。
【００３８】
第３および第４の音声／映像情報記録再生装置において、同時再生部は、第１のファイルおよび第２のファイルを読み出してそれぞれ第１の音声／映像情報および第２の音声／映像情報として再生する際に、読み出し済みの再生すべき第１の音声／映像情報が第１の所定データ量以下になった場合に、第１のファイルの読み出しを実施し、読み出し済みの再生すべき第１の音声／映像情報が第２の所定データ量を超える場合は、第２のファイルの読み出しを実施することが好ましい。
【００３９】
前記の目的を達成するため、本発明に係る第９の音声／映像情報記録再生装置は、記録された複数の静止画像情報を指定された順序で再生する映像再生部と、記録された音声情報を再生する音声再生部と、静止画像情報および音声情報を共に連続的に再生するポストレコーディング用再生部とを備え、静止画像情報は静止画像用連続データ領域に記録され、音声情報は固定データサイズの音声用連続データ領域の組に記録され、映像再生部は、少なくとも読み書きヘッドの最大移動時間の２倍の時間と、一つの音声用連続データ領域からの読み出し時間と、一つの静止画像用連続データ領域からの読み出し時間とを合計した時間以上の間、ひとつの静止画像情報を表示し続けることを特徴とする。
【００４０】
前記の目的を達成するため、本発明に係る第１０の音声／映像情報記録再生装置は、記録された複数の静止画像情報をそれぞれ指定された表示期間ずつ、指定された順序で再生する映像再生部と、記録された音声情報を再生する音声再生部と、静止画像情報および音声情報を共に連続的に再生するポストレコーディング用再生部とを備え、静止画像情報は静止画像用連続データ領域に記録され、音声情報は固定データサイズの音声用連続データ領域の組に記録され、表示期間は、少なくとも読み書きヘッドの最大移動時間の２倍の時間と、一つの音声用連続データ領域からの読み出し時間と、一つの静止画像用連続データ領域からの読み出し時間とを合計した時間以上であることを特徴とする。
【００４１】
前記の目的を達成するため、本発明に係る第１１の音声／映像情報記録再生装置は、記録された複数の静止画像情報を指定された順序で再生する映像再生部と、音声情報を記録する音声記録部と、静止画像情報の再生および音声情報の記録を共に連続的に実施するポストレコーディング用記録部とを備え、静止画像情報は静止画像用連続データ領域に記録され、音声情報は固定データサイズの音声用連続データ領域の組に記録され、映像再生部は、少なくとも読み書きヘッドの最大移動時間の２倍の時間と、一つの音声用連続データ領域への書き込み時間と、一つの静止画像用連続データ領域からの読み出し時間とを合計した時間以上の間、ひとつの静止画像情報を表示し続けることを特徴とする。
【００４２】
前記の目的を達成するため、本発明に係る第１２の音声／映像情報記録再生装置は、記録された複数の静止画像情報をそれぞれ指定された表示期間だけ指定された順序で再生する映像再生部と、音声情報を記録する音声記録部と、静止画像情報の再生および音声情報の記録を共に連続的に実施するポストレコーディング用記録部とを備え、静止画像情報は静止画像用連続データ領域に記録され、音声情報は固定データサイズの音声用連続データ領域の組に記録され、表示期間は、少なくとも読み書きヘッドの最大移動時間の２倍の時間と、一つの音声用連続データ領域への書き込み時間と、一つの静止画像用連続データ領域からの読み出し時間とを合計した時間以上であることを特徴とする。
【００４３】
前記の目的を達成するため、本発明に係る第１の音声／映像情報記録再生方法は、第１の音声／映像情報を第１のファイルとして記録する工程と、第２の音声／映像情報が記録された第２のファイルを再生する工程と、第１の音声／映像情報の記録工程と第２の音声／映像情報の再生工程とを共に連続的に実施する工程とを含み、第１のファイルは、第１の音声／映像情報の記録が可能な、物理的に連続する複数の記録単位からなる固定長の第１の音声／映像用連続データ領域の組から構成され、第２のファイルは、第２の音声／映像用連続データ領域の組から構成され、第２の音声／映像用連続データ領域は、少なくとも読み書きヘッドの最大移動時間の３倍の時間と、一つの第１の音声／映像用連続データ領域への書き込み時間との合計の時間分の第２の音声／映像情報を余分に確保するまで、第２の音声／映像情報の連続読み出しが可能な、物理的に連続する複数の記録単位から構成されることを特徴とする。
【００４４】
前記の目的を達成するため、本発明に係る第２の音声／映像情報記録再生方法は、第１の音声／映像情報を第１のファイルとして記録する工程と、第２の音声／映像情報が記録された第２のファイルを再生する工程と、第１の音声／映像情報の記録工程と第２の音声／映像情報の再生工程とを共に連続的に実施する工程とを含み、第１のファイルは、第１の音声／映像情報の記録が可能な、物理的に連続する複数の記録単位からなる所定のデータサイズ以上の第１の音声／映像用連続データ領域の組から構成され、第２のファイルは、第２の音声／映像用連続データ領域の組から構成され、第２の音声／映像用連続データ領域は、少なくとも読み書きヘッドの最大移動時間の４倍の時間と、一つの第１の音声／映像用連続データ領域への書き込み時間との合計の時間分の第２の音声／映像情報を余分に確保するまで、第２の音声／映像情報の連続読み出しが可能な、物理的に連続する複数の記録単位から構成されることを特徴とする。
【００４５】
前記の目的を達成するため、本発明に係る第３の音声／映像情報記録再生方法は、第１の音声／映像情報が記録された第１のファイルを再生する工程と、第２の音声／映像情報が記録された第２のファイルを再生する工程と、第１の音声／映像情報の再生工程と第２の音声／映像情報の再生工程とを共に連続的に実施する工程とを含み、第１のファイルは、第１の音声／映像情報の記録が可能な、物理的に連続する複数の記録単位からなる固定長の第１の音声／映像用連続データ領域の組から構成され、第２のファイルは、第２の音声／映像用連続データ領域の組から構成され、第２の音声／映像用連続データ領域は、少なくとも読み書きヘッドの最大移動時間の３倍の時間と、一つの第１の音声／映像用連続データ領域の読み出し時間との合計の時間分の第２の音声／映像情報を余分に確保するまで、第２の音声／映像情報の連続読み出しが可能な、物理的に連続する複数の記録単位から構成されることを特徴とする。
【００４６】
前記の目的を達成するため、本発明に係る第４の音声／映像情報記録再生方法は、第１の音声／映像情報が記録された第１のファイルを再生する工程と、第２の音声／映像情報が記録された第２のファイルを再生する工程と、第１の音声／映像情報の再生工程と第２の音声／映像情報の再生工程とを共に連続的に実施する工程とを含み、第１のファイルは、第１の音声／映像情報の記録が可能な、物理的に連続する複数の記録単位からなる所定のデータサイズ以上の第１の音声／映像用連続データ領域の組から構成され、第２のファイルは、第２の音声／映像用連続データ領域の組から構成され、第２の音声／映像用連続データ領域は、少なくとも読み書きヘッドの最大移動時間の４倍の時間と、一つの第１の音声／映像用連続データ領域の読み出し時間との合計の時間分の第２の音声／映像情報を余分に確保するまで、第２の音声／映像情報の連続読み出しが可能な、物理的に連続する複数の記録単位から構成されることを特徴とする。
【００４７】
前記の目的を達成するため、本発明に係る第５の音声／映像情報記録再生方法は、静止画像用連続データ領域に記録された複数の静止画像情報を指定された順序で再生する工程と、固定データサイズの音声用連続データ領域の組に記録された音声情報を再生する工程と、静止画像情報の再生工程と音声情報の再生工程を共に連続的に実施する工程とを含み、静止画像情報の再生工程において、少なくとも読み書きヘッドの最大移動時間の２倍の時間と、一つの音声用連続データ領域を読み出す時間と、一つの静止画像用連続データ領域を読み出す時間とを合計した時間以上の間、ひとつの静止画像情報を表示し続けることを特徴とする。
【００４８】
前記の目的を達成するため、本発明に係る第６の音声／映像情報記録再生方法は、静止画像用連続データ領域に記録された複数の静止画像情報を指定された順序で再生する工程と、固定データサイズの音声用連続データ領域の組に音声情報を記録する工程と、静止画像情報の再生工程と音声情報の記録工程を共に連続的に実施する工程とを含み、静止画像情報の再生工程において、少なくとも読み書きヘッドの最大移動時間の２倍の時間と、一つの音声用連続データ領域への書き込み時間と、一つの静止画像用連続データ領域からの読み出し時間とを合計した時間以上の間、ひとつの静止画像情報を表示し続ける工程とを含むことを特徴とする。
【発明の効果】
【００４９】
上記の構成によれば、映像ファイルの実時間再生が保証されているので、映像情報および音声情報を途切れることなく再生できるとともに、同時にポストレコーディング用音声情報の再生においても、データが欠落することなく連続的に実時間再生をすることができる。
【発明を実施するための最良の形態】
【００５０】
以下、本発明の実施の形態について、図面を参照しながら説明する。
【００５１】
（実施の形態１）
図１は、本発明の実施の形態１に係る音声／映像情報記録再生装置の構成を示すブロック図である。本実施形態と従来例（図１６）との違いは、第２トランスポートストリーム分解部１６６を有する点と、連続データ領域検出部１６０、記録制御部１６１、ポストレコーディング用記録制御部１６２、ポストレコーディング用再生制御部１６３およびバッファメモリ１６４の機能が異なる点にある。また、再生部１２１のデータ読み込み速度、第１トランスポートストリーム分解部１６５に入力する動画データの最大再生レート、ピックアップ１３０の読み込み動作時および書き込み動作時の最大移動時間は、従来例と同じであるものとしている。
【００５２】
図２は、図１の機能ブロックの中で、ポストレコーディングモード記録の際に関係するブロックを示し、図３は、図１の機能ブロックの中で、ポストレコーディング記録の際に関係するブロックを示し、図４は、図１の機能ブロックの中で、ポストレコーディング再生の際に関係するブロックを示す図である。
【００５３】
図５は、本発明の実施の形態１に係る音声／映像情報記録装置における映像および音声の記録形態を示す図である。従来例を示す図１７との違いは、連続データ領域の長さ（２．６秒分以上）が異なる点だけである。その他の点（例えば、ＶＯＢＵが、Ｖ＿ＴＳＰ、Ａ＿ＴＳＰおよびＤ＿ＴＳＰから構成される点など）は同じである。
【００５４】
図６は、本発明の実施の形態１において、ポストレコーディング記録時に記録する裏音声ファイルの記録形態を示す図である。裏音声ファイルは、裏音声を符号化したＡ＿ＴＳＰから構成される。具体的には、ＡＡＣ（Advanced Audio Coding）圧縮符号化された音声データにトランスポートパケットヘッダを付加してトランスポートストリームを構成する。また、光ディスク１３１上に確保された複数個の９６ｋｂｙｔｅ固定長の連続データ領域内に、このトランスポートストリームが連続的に記録される。それぞれの９６ｋｂｙｔｅは互いに物理的に離れていても良い。なお、図６では省略しているが、ＰＡＴ、ＰＭＴ等はトランスポートストリームに必須のパケットであり、裏音声ファイルに含まれる。
【００５５】
図７は、本発明の実施の形態１におけるポストレコーディング記録時の動作モデルを示す図である。光ディスク１３１上に記録済みの動画データはピックアップ１３０を介して速度Ｖｒで動画バッファメモリ内に取り込まれ、さらにその動画データは速度Ｖｏｕｔでトランスポートストリーム分解部１６５に転送され、さらに映像伸長部１１１および第１音声伸長部１１３により映像および音声が再生される。一方、音声信号は音声圧縮部１０３により音声データに変換され、次にトランスポートストリーム組立部１０４を介して速度Ａｉｎで音声バッファメモリに取り込まれる。さらに、その音声データは、速度Ａｗでピックアップ１３０を介して光ディスク１３１に書き込まれる。動画データの読み込みと音声データの書き込みは１個のピックアップ１３０を時分割的に交互に切り替えることにより実現される。ここで、Ｖｒ＞Ｖｏｕｔ、Ａｗ＞Ａｉｎとする。
【００５６】
図８は、本発明の実施の形態１におけるポストレコーディング記録時の動画バッファメモリおよび音声バッファメモリ内の符号量の遷移を示す図である。図８において、ｔseekはピックアップ１３０の最大移動時間、ｔAwriteは裏音声用音声ファイルの書込み時間、ｔV-CDAは動画用連続データ領域の読出し時間を示す。ＢA-thは、音声データの書込みのためのシーク動作を開始する際の閾値である。音声バッファメモリ内の符号量がＢA-th以上になった場合に、ピックアップ１３０は動画データ上から裏音声データ上へ移動を開始する。本実施の形態１では、ＢA-thは９６ｋｂｙｔｅであるものとする。
【００５７】
図９は、本発明の実施の形態１におけるポストレコーディング再生時の動作モデルを示す図である。光ディスク１３１上に記録済みの動画データは、ピックアップ１３０を介して速度Ｖｒで動画バッファメモリ内に取り込まれ、さらに、その動画データは、速度Ｖｏｕｔでトランスポートストリーム分解部１６５に転送され、さらに映像伸長部１１１および第１音声伸長部１１３により映像および音声として再生される。一方、光ディスク１３１上に記録済の裏音声データは、ピックアップ１３０を介して速度Ａｒで音声バッファメモリ内に取り込まれ、さらに、その裏音声データは、速度Ａｏｕｔでトランスポートストリーム分解部１６６を介して第２音声伸長部１１４により裏音声として再生される。ここで、Ｖｒ＞Ｖｏｕｔ、Ａｒ＞Ａｏｕｔとする。
【００５８】
図１０は、本発明の実施の形態１におけるポストレコーディング再生時の動画バッファメモリおよび音声バッファメモリ内の符号量の遷移を示す図である。ＢVは動画バッファメモリサイズ、ＢAは音声バッファメモリサイズを示す。
【００５９】
ポストレコーディングモード記録時には、図２の機能ブロックを利用する。記録制御部１６１が記録部１２０、連続データ領域検出部１６０および論理ブロック管理部１４４の制御を行ない、ポストレコーディングモード記録を実施する。この時、記録制御部１６１は、連続データ領域検出部１６０に物理的に連続する空き領域を検出させる。
【００６０】
具体的には、記録開始操作によって、トランスポートストリーム組立部１０４は、圧縮された映像信号と圧縮された音声信号をそれぞれ１８８バイト単位のトランスポートパケットＶ＿ＴＳＰおよびＡ＿ＴＳＰに分割し、さらにポストレコーディング用ダミーパケット発生部１０５が生成するＤ＿ＴＳＰを加え、この３種類のトランスポートパケットで１つのＶＯＢＵを構成する様に順番に並べてトランスポートストリームを作成した後に、バッファメモリ１６４を介して記録部１２０へ渡す。
【００６１】
記録部１２０では、記録制御部１６１から指示された論理ブロック番号の位置からＶＯＢＵの記録を開始する。このとき、記録部１２０において、１つのＶＯＢＵは３２ｋバイト単位に分割され、３２ｋバイト単位に誤り訂正符号が付加されて光ディスクの１つの論理ブロック上に記録される。また、１つの論理ブロックの途中で１つのＶＯＢＵの記録が終了した場合は、隙間を開けることなく次のＶＯＢＵの記録を連続的に行う。
【００６２】
連続データ領域検出部１６０は、論理ブロック管理部１４４内で管理されている論理ブロックの使用状況を探索して、未使用の論理ブロックが最大記録再生レート換算で２．６秒分連続している領域を検出しておく。そして、当該論理ブロック領域の論理ブロック番号を、論理ブロック単位の書き込みが発生するごとに記録部１２０へ通知し、また論理ブロックが使用済みになることについては、論理ブロック管理部１４４に通知する。
【００６３】
論理ブロック管理部１４４は、必要に応じて再生部１２１を起動して、光ディスク１３１上に記録されているＵＤＦファイルシステムのスペースビットマップを読み込み、論理ブロックの使用状況を把握する。本実施形態では、電源投入時にまとめてスペースビットマップを読み込むことにより、ポストレコーディングモード記録時、ポストレコーディング記録時、ポストレコーディング再生時には、途中でスペースビットマップの読み込みは不要な処理として扱う。
【００６４】
次に、ポストレコーディング記録（裏音声を記録）を行う場合には、図１の機能ブロック内の図３に示す機能ブロックを利用する。ポストレコーディング用記録制御部１６２は、光ディスク１３１上に記録されたＭＰＥＧトランスポートストリームがピックアップ１３０、再生部１２１、トランスポートストリーム分解部１６５を経由する様に制御することにより、映像および音声を再生する。この時バッファメモリ１６４は、図７に示すように動画バッファメモリと音声バッファメモリに分割使用され、あらかじめ記録されている動画および音声の一時的なデータ蓄積のために、バッファメモリ１６４が使用される。ポストレコーディング用記録制御部１６２は同時に、音声信号入力部１０２の音声を、音声圧縮部１０３を経由することによりＡＡＣ圧縮符号に圧縮し、さらにトランスポートストリーム組立部１０４を経由することにより、ＭＰＥＧトランスポートストリームへ変換する。
【００６５】
そして、その変換されたＭＰＥＧトランスポートストリームは、さらにバッファメモリ１６４（ただし、音声バッファメモリ）、記録部１２０およびピックアップ１３０を介して、相変化光ディスク１３１へ裏音声ファイルとして記録される。
【００６６】
裏音声ファイルは、図６に示すように、固定長の物理的に連続した領域に配置される（動画ファイルとは固定長である点およびデータサイズが異なる）。この連続データ領域を複数個確保し、その領域に裏音声のトランスポートストリームを連続的に配置する。それぞれの固定長領域は物理的に離れていても良い。
【００６７】
ポストレコーディング用記録制御部１６２は、図８の時間（１）では、ピックアップ１３０を介して映像の再生を行うので、動画バッファメモリ内には最低Ｖｒ−Ｖｏｕｔ以上の速度で映像データが蓄積される。一方、音声バッファメモリ内には、裏音声のトランスポートストリームがＡｉｎ以下の速度で蓄積される。音声バッファメモリの蓄積量が音声用連続データ領域のデータサイズである９６ｋバイトを越えると、ポストレコーディング用記録制御部１６２は、裏音声データの書出しを行うために、ピックアップ１３０を裏音声データ用の空き連続データ領域へ移動させる（時間（２））。この移動の間、動画のディスクからの読み込みが中断するので、動画バッファメモリのデータ量は最大Ｖｏｕｔの速度で減少する。ピックアップ１３０の移動が完了すると、時間（３）に示す様に、裏音声データの書き込みにより、音声バッファメモリの符号量はＡｗの速度で減少する。次に、裏音声データの連続データ領域１個分の書き込みが完了すると、ピックアップ１３０を動画ファイルの読み込み中断位置まで戻す（時間（４））。さらに、最悪のケースであるが、戻った直後に、動画ファイルの連続データ領域の不連続個所に遭遇すると、次の連続データ領域までピックアップ１３０を移動させるので、動画バッファメモリ上の動画データは０にまで減少する（時間（５））。そして、次の連続データ領域内における動画データの読み込みが再開すると、動画バッファメモリ内に最低Ｖｒ−Ｖｏｕｔの速度で動画データが蓄積する（時間（６））。以降は同様にして、ピックアップ１３０を交互に移動させながらポストレコーディング記録を実現する。
【００６８】
以上の様に、動画ファイルの連続データ領域の最小サイズが３回分のピックアップ移動時間および音声データの書き込み時間を合計した時間の間、動画を表示し続けるだけの動画データが、確実に動画バッファメモリ内に蓄積されるだけのサイズになっているので、動画を途切れることなく連続して実時間再生できる。また、同時に音声ファイルの書き込みにおいても、データが欠落すること無く連続的に記録できる。
【００６９】
ポストレコーディング再生の場合には、図４の機能ブロックを利用する。ポストレコーディング用再生制御部１６３は、光ディスク１３１上に記録された動画ファイルを、ピックアップ１３０、再生部１２１、第１トランスポートストリーム分解部１６５、映像伸長部１１１および第１音声伸長部１１３を経由することにより、映像および表音声として再生する。同時に、ポストレコーディング用再生制御部１６３は、光ディスク１３１上に記録された裏音声ファイルを、ピックアップ１３０、再生部１２１、第２トランスポートストリーム分解部１６６、第２音声伸長部１１４を経由することにより、裏音声として再生する。この時、バッファメモリ１６４は、図９に示す様に、動画バッファメモリと音声バッファメモリに分割使用され、動画ファイルのデータを蓄積するために動画バッファメモリが使用され、裏音声ファイルのデータを蓄積するために音声バッファメモリが使用される。
【００７０】
ポストレコーディング用再生制御部１６３は、図１０の時間(１)では、裏音声ファイルを音声用連続データ領域１個分(９６ｋバイト)だけ読み込む。これにより、音声バッファメモリ内に裏音声データが蓄積される。次に、裏音声ファイルから動画ファイルへとピックアップ１３０の移動を開始する（時間（２））。ピックアップ１３０が動画ファイルに到着すると、時間（３）の先頭より、動画データの読み込みおよび再生を開始する。従って、動画バッファメモリ内には、最低Ｖｒ−Ｖｏｕｔの速度でデータが蓄積される。同時に、時間（３）の先頭より、音声バッファメモリ内のデータの再生を開始する。これにより、音声バッファメモリ内のデータ量は最大Ａｏｕｔの速度で減少する。そして、このデータ量がＢA-thになった時点で、動画ファイル上のピックアップ１３０が音声ファイル上へ移動を開始する（時間（４））。この移動により、光ディスク１３１からの動画データの読み込みが中断するので、動画バッファメモリの符号量は最大Ｖｏｕｔのペースで減少する。この移動が完了すると、時間（５）の様に、裏音声ファイルからのデータ読み込みが始まるので、音声バッファメモリ内に最低Ａｒ−Ａｏｕｔの速度で音声データが蓄積される。そして、時間（６）において、ポストレコーディング用再生制御部１６３は、ピックアップ１３０を裏音声ファイル上から動画ファイル上へ移動させる。図１０では、移動が完了した後、時間（７）でたまたま動画ファイルの不連続点（連続データ領域の境界）に遭遇し、ピックアップ１３０の移動が発生した例を示す。この移動が完了すると、時間（８）に示す様に、再び動画データの読み込みを開始する。以降は同様にして、ピックアップ１３０を交互に移動させながら、ポストレコーディング再生を実現する。
【００７１】
ポストレコーディング再生時の動画用連続データ領域の最低限の読み込み時間長をｔV-CDA、ポストレコーディング再生時の音声用連続データ領域の読み込み時間長をｔA-CDAとすると、図１０において、
（Ｖｒ−Ｖｏｕｔ）ｔV-CDA＝Ｖｏｕｔ×（３ｔseek＋ｔA-CDA）
…（式１）
（Ａｒ−Ａｏｕｔ）ｔA-CDA＝Ａｏｕｔ×ｔAout
…（式２）
ｔAout＝ｔV-CDA＋３ｔseek
…（式３）
なる関係があることより、ｔV-CDAおよびｔA-CDAはそれぞれ以下のように求まる。
【００７２】
ｔV-CDA＝（Ｖｏｕｔ／Ｖｒ）×（３ｔseek＋ｔA-CDA）
／（１−（Ｖｏｕｔ／Ｖｒ））
…（式４）
ｔA-CDA＝（（Ａｏｕｔ／Ａｒ）×３ｔseek）
／（１−（Ａｏｕｔ／Ａｒ）−（Ｖｏｕｔ／Ｖｒ））
…（式５）
また、映像用連続データ領域の最小限のデータサイズＳV-CDA、および裏音声用連続データ領域の最低限のデータサイズＳA-CDAはそれぞれ以下のように求まる。
【００７３】
ＳV-CDA＝Ｖｒ×ｔV-CDA                          …（式６）
ＳA-CDA＝Ａｒ×ｔA-CDA                          …（式７）
本実施形態の場合、ｔseek＝０．５ｓ、Ｖｏｕｔ＝１０Mｂｐｓ、Ｖｒ＝２４Mｂｐｓ、Ａｏｕｔ＝２８８ｋｂｐｓ、Ａｒ＝２４Ｍｂｐｓとして計算することにより、ｔV-CDA＝１．１ｓ、ＳV-CDA＝３．３Ｍｂｙｔｅ、ｔA-CDA＝０．０３ｓ、ＳA-CDA＝９０ｋｂｙｔｅとなる。そこで、ＳA-CDAは、論理ブロックの整数倍となる様に、９６ｋｂｙｔｅとした。
【００７４】
以上の様に、動画ファイルの連続データ領域がピックアップ１３０の移動時間の３倍と音声データの読み込み時間を合計した時間（１．５３ｓ）の間、動画を表示し続けられるだけの動画データが、確実に動がバッファメモリ内に蓄積されるだけのサイズ（３．３Ｍｂｙｔｅ）になっているので、映像および表音声をとぎれることなく連続して実時間再生できる。また、同時に裏音声ファイルの再生においても、データが欠落すること無く連続的に実時間再生できる。
【００７５】
また、１つの映像に対して複数の裏音声ファイルを作成し、映像ファイルと裏音声ファイルの組み合わせを取捨選択して映像と複数の裏音声を比較できるメリットもある。
【００７６】
なお、裏音声ファイル用の連続データ領域のデータサイズは固定長であるものとしたが、その固定値のサイズ以上の可変長であっても良い。ただし、この場合、動画ファイルの連続データ領域の最小データサイズをピックアップ１３０の１回分の最大移動時間を見込んだ長さだけ伸ばす必要がある。すなわち、動画ファイルの連続データ領域のデータサイズが４回分のピックアップ１３０の移動時間および音声データの読み込み時間を見込んだ長さにしても良い。
【００７７】
なお、図１０では、動画ファイルと裏音声ファイルの読み込みが完全に同期する場合を示したが、完全に同期する必要はない。動画ファイルの連続データ領域は通常長めに確保されていれば、図２４に示す様な動作となる。図１０との違いは、裏音声ファイルの連続データ領域がより長いため、区間（３）がより長い点にある。この場合、上記（式３）は以下の（式８）に置き換えられる。
【００７８】
ｔAout≧ｔV-CDA＋３ｔseek                        …（式８）
（実施の形態２）
次に、本発明の実施の形態２について説明する。実施の形態２と実施の形態１との違いは、裏音声の符号化方式が異なる点にある。実施の形態１では、ＡＡＣ圧縮符号を使うのに対して、実施の形態２では、リニアＰＣＭ（Linear PCM、あるいはPulse Code Modulation)符号を使う。
【００７９】
図１１は、本発明の実施の形態２に係る音声／映像情報記録再生装置の機能構成を示すブロック図である。図１と図１１の違いは、Ａ／Ｄ変換部１７４および第２トランスポートストリーム組立部１７５を含む点と、トランスポートストリーム組立部１０４の代わりに第１トランスポートストリーム組立部１７３を有する点（但し、機能的には同じ）と、第２音声伸長部１１４の代わりにＤ／Ａ変換部１７６を有する点と、機能的に異なったポストレコーディング用記録制御部１７０、ポストレコーディング用再生制御部１７１、およびバッファメモリ１７２を有する点にある。なお、再生部１２１のデータ読出速度、トランスポートストリーム分解部１６５、１６６の最大記録再生レート、ピックアップ１３０の読み込み動作時および書き込み動作時の最大移動時間は従来例と同じであるものとしている。
【００８０】
図１２は、図１１の中でポストレコーディング記録の際に関係するブロックを示し、図１３は、図１１の中でポストレコーディング再生の際に関係するブロックを示す図である。
【００８１】
以上の様に、裏音声の符号形式としてリニアＰＣＭ符号を使うので、ポストレコーディング再生時に、回路規模の大きい第２音声伸長部１１４を回路規模の小さいＤ／Ａ変換部１７６で代替できる。
【００８２】
ただし、裏音声の再生速度はＡＡＣ圧縮の場合よりも上がるので、その分連続データ領域の長さを（式７）に基づいて調整する必要がある。
【００８３】
なお、裏音声ファイル用の連続データ領域のデータサイズは固定長であるものとしたが、固定のサイズ以上の可変長であっても良い。ただし、この場合、動画ファイルの連続データ領域の最小データサイズをピックアップ１３０の１回分の最大移動時間を見込んだ長さだけ伸ばす必要がある。
【００８４】
（実施の形態３）
次に、本発明の実施の形態３について説明する。実施の形態３と実施の形態１との違いは、ポストレコーディング再生時に、動画ファイルと裏音声ファイルの同時再生を行うのではなく、動画ファイルの中にあらかじめ裏音声ファイルを１つのトランスポートストリームとして混合（ＭＩＸ）しておき、再生時には表音声ストリームと裏音声ストリームを並列に復号する点にある。
【００８５】
図１４は、本発明の実施の形態３に係る音声／映像情報記録再生装置の機能構成を示すブロック図である。図１と図１４の違いは、トランスポートストリーム分解部１１５を１つしか有さない点と、ポストレコーディング用ＭＩＸ制御部１８０を有する点にある。また、ポストレコーディング用再生制御部１５３は、従来例のポストレコーディング用再生制御部１５３と同等の機能を有する点が異なる。なお、再生部１２１のデータ読出速度、トランスポートストリーム分解部１１５の最大記録再生速度、ピックアップ１３０の読み込み動作時および書き込み動作時の最大移動時間は従来例と同じであるものとしている。
【００８６】
図１５は、図１４の中でポストレコーディング再生の際に関係するブロックを示す図である。
【００８７】
映像記録時、ポストレコーディング記録時は、実施の形態１と同様に処理を行う。その後で、裏音声ファイル内のＡ＿ＴＳＰで動画ファイル内のＤ＿ＴＳＰを置き換えることにより、表音声ストリームと裏音声ストリームがＭＩＸされたトランスポートストリームに書き換える。
【００８８】
ポストレコーディング再生時は、ＭＩＸ後の動画ファイルを図１５の再生部１２１、バッファメモリ１６４、トランスポートストリーム分解部１１５を経由させる。そして、さらに表音声ストリームは、第１音声伸長部１１３および音声出力部１１２を経由し、裏音声ストリームは、第２音声伸長部１１４および音声出力部１１２を経由させて、両方の音声を映像と共に再生する。
【００８９】
以上の様に、表音声と裏音声がＭＩＸされたトランスポートストリームからなる動画ファイルを作成することにより、２つのファイルを管理する必要はなく、１つのファイルのみを管理すれば良くなる。
【００９０】
また、動画ファイルと裏音声ファイルのデータ構造が同じトランスポートストリーム形式であることにより、動画ファイル内のＤ＿ＴＳＰと裏音声ファイル内のＡ＿ＴＳＰを交換すれば良いので、ＭＩＸされた動画ファイルを作成しやすい。また、動画ファイルと裏音声ファイルのデータ構造が同じトランスポートストリーム形式であることにより、動画ファイル内のＤ＿ＴＳＰを裏音声ファイル内のＡ＿ＴＳＰで置き換えたトランスポートストリームをデジタルインタフェースへ出力する際にも置き換えが容易になる。さらに、裏音声ファイルのデータ構造をトランスポートストリームの様なＭＰＥＧシステムストリーム形式にすることにより、音声圧縮符号（例えば、ＡＡＣ符号）が異なっていても、統一した音声ファイルとして取り扱うことができるので、裏音声ファイルの取り扱いが容易になる。
【００９１】
（実施の形態４）
次に、本発明の実施の形態４について説明する。実施の形態４と実施の形態１との違いは、動画ファイルに音声データが含まれていなくて、静止画像のみ含まれる動画ファイルのポストレコーディング再生を取り扱う点にある。そして、この様な静止画像を、指定された順序で所定の時間間隔でスライドショーの様に切り換えながら、同時に音声ファイルに記録されている音声を再生する場合の例について説明する。なお、音声／映像情報記録再生装置の構成は実施の形態１と同様であるものとする。
【００９２】
図２３は、本発明の実施の形態４に係る音声／映像情報記録再生装置におけるポストレコーディング再生時の動画バッファメモリおよび音声バッファメモリ内の符号量の遷移を示す図である。以下、図２３を参照して説明する。
【００９３】
ポストレコーディング用再生制御部１６３は、時間（１）の先頭より、動画データの読み込みを開始する。従って、動画バッファメモリ内にはＶｒの速度でデータが蓄積される。次に、時間（２）において、音声データへシーク動作を行う。そして、１枚分の静止画データの読み込み完了後、時間（３）よりその静止画を表示する。同時に、音声バッファメモリ内のデータの読み込みと、読み込まれたデータの再生を開始する。これにより、音声バッファメモリ内のデータ量は最大Ａｒ−Ａｏｕｔの速度で増加する。そして、時間（４）では、ピックアップ１３０が音声データ上から映像データ上へ移動を行う。この間、音声出力も同時に実施するので、音声バッファメモリ内の符号量はＡｏｕｔの速度で減少する。ピックアップ１３０の移動が完了すると、映像データの読み込みを再開する（時間（５））。そして、音声バッファメモリ内のデータ量がＢA-thになった時点で、動画ファイル上のピックアップ１３０が音声ファイル上への再移動を開始する（時間（６））。以上の繰り返しにより、表示周期ｔstillの間に、読み込まれた静止画データは、トランスポートストリーム分解部１６５に転送され、さらに映像伸長部１１１により映像が再生される。また、表示周期ｔstillの間に、読み込まれた音声データも第１音声伸長部１１３により再生される。
【００９４】
ここで、表示周期である映像更新間隔ｔstillは、１枚の静止画像データを読み込む時間をｔVread、固定データサイズの連続データ領域に記録された音声データを読み込む時間をｔA-CDA、ピックアップ１３０の最大移動時間をｔseekとすれば、以下の（式９）を満たせば良い。
【００９５】
ｔstill≧ｔVread＋ｔA-CDA＋２ｔseek            …（式９）
以上の様にして、スライドショーに音声を付加することが容易に実現できる。
【００９６】
なお、本実施の形態４において、静止画像はトランスポートストリームからなる動画ファイルに含まれるものとしたが、ＪＰＥＧファイルであっても良い。この場合、ＪＰＥＧ復号部が必要となることは言うまでも無い。
【００９７】
また、本実施の形態４において、静止画の更新間隔は一定であるものとしたが、上記（式９）を満たせば一枚毎に個別に指定しても良い。また、静止画像のデータサイズが個別に異なる場合は、更新間隔をそのデータサイズに応じて（式９）を満たす様な範囲で１枚毎に指定しても良い。
【００９８】
また、本実施の形態４では、静止画をスライド表示しながら、音声を再生する場合を示したが、音声を記録する場合も同様である。この場合、音声データの読み込み時間と書き込み時間を差替えれば良いことは言うまでもない。
【００９９】
なお、各実施の形態において、記憶媒体は相変化光ディスクであるものとしたが、特にこれに限定するものではなく、例えばＤＶＤ−ＲＡＭ、ＭＯ、ＤＶＤ−Ｒ、ＤＶＤ−ＲＷ、ＤＶＤ＋ＲＷ、ＣＤ−Ｒ、ＣＤ−ＲＷ等の光ディスクやハードディスク等のディスク形状を有する記録媒体であれば何でも良い。また、フラッシュメモリ等の半導体メモリであっても良い。
【０１００】
同様に、各実施の形態において、読み書きヘッドはピックアップとしているが、ＭＯの場合はピックアップ及び磁気ヘッドとなり、またハードディスクの場合は磁気ヘッドとなる。
【０１０１】
また、各実施の形態において、トランスポートストリームは、ＭＰＥＧを用いたデジタル放送規格に準拠した形式で合っても良い。例えば、日本のＢＳデジタル放送規格に準拠したトランスポートストリーム、米国のＡＴＳＣ規格に準拠したトランスポートストリーム、および欧州のＤＶＢ規格に準拠したトランスポートストリームであっても良い。
【０１０２】
また、各実施形態において、動画ファイルおよび音声ファイルはトランスポートストリームからなるものとしてが、プログラムストリームやＰＥＳストリーム等の他のマルチメディア情報を含むビットストリームであっても良い。
【０１０３】
また、各実施の形態において、論理ブロックは３２ｋｂｙｔｅ、セクタは２ｋｂｙｔｅとしたが、論理ブロックサイズがセクタサイズの整数倍であれば、例えば、論理ブロックが１６ｋｂｙｔｅ、セクタは２ｋｂｙｔｅであっても良い。また、論理ブロック、セクタが共に２ｋｂｙｔｅであっても良い。
【０１０４】
また、各実施の形態において、映像圧縮符号および音声圧縮符号はそれぞれＭＰＥＧ２映像圧縮符号およびＡＡＣ圧縮符号であるものとしたが、ＭＰＥＧ１映像圧縮符号またはＭＰＥＧ４映像圧縮符号等や、ＭＰＥＧ−Ａｕｄｉｏ圧縮符号、Ｄｏｌｂｙ  ＡＣ３圧縮符号、またはＴｗｉｎ−ＶＱ圧縮符号等であっても良い。
【０１０５】
また、各実施の形態において、動画ファイルと裏音声ファイルは同一の光ディスク上に記録するものとしたが、異なった記録媒体上に記録しても良い。例えば、動画ファイルを光ディスク上に、裏音声ファイルをフラッシュメモリカード上に記録し、合成ファイルを光ディスク上に記録する様にしても良い。この場合、ピックアップの移動機会が減るので、ポストレコーディング記録やポストレコーディング再生の実現が著しく容易になる。
【０１０６】
また、各実施の形態において、ファイルはＵＤＦファイルシステムで管理したが、ＦＡＴ（ファイル・アロケーション・テーブル）やその他の独自ファイルシステムで管理されても良い。
【０１０７】
また、各実施の形態において、動画ファイルと裏音声ファイルの他に動画ファイルと裏音声ファイルを関連付けるファイルとして第３のファイルを記録しても良い。この第３のファイルは、Ｗ３Ｃで規格化進展中のＳＭＩＬ（Synchronized Multimedia Integration Language）言語で、動画ファイルと裏音声ファイルの同時再生（並列再生）タイミングを記述しても良い。これにより、動画ファイルと裏音声ファイルの関係を再生タイミング等の観点でに明確に記述できる。例えば、映像ファイルの先頭からの経過時間および音声ファイルの先頭からの経過時間を指定することにより、同時再生の開始個所を指定することができる。また、ＳＭＩＬ言語を使用することにより、動画ファイル、裏音声ファイル、および第３のファイルをパソコンへ移動した場合でも、パソコン上のアプリケーションソフトのＳＭＩＬプレーヤー等で再生可能になる。
【０１０８】
また、各実施の形態において、動画ファイルの一部分に対してポストレコーディング記録を行って裏音声ファイルを記録する場合、ポストレコーディング記録開始タイミングの時間情報を裏音声ファイル、前記の第３のファイル内、もしくは別の第４のファイルに記録しておく必要がある。
【０１０９】
また、各実施の形態において、裏音声ファイルには動画に対する裏音声を記録するものとしたが、動画とはタイミングが直接的には無関係な音楽（ＢＧＭ等）を記録し、ポストレコーディング再生と同じ方法で再生しても良い。
【０１１０】
また、各実施の形態において、ピックアップの最大移動時間は、読み込み時と書き込み時とで同じであるものとしたが、異なっていても良い。ただし、この場合、ピックアップの最大移動時間として適切な方もしくは大きい方を選択して、連続データ領域のデータサイズ（式６、式７）や、映像更新時間（式９）を求める必要がある。
【０１１１】
以上説明したように、本発明によれば、光ディスク上でポストレコーディング機能を容易に実現できる音声／映像情報記録再生装置を提供することが可能になる。
【図面の簡単な説明】
【０１１２】
【図１】本発明の実施の形態１に係る音声／映像情報記録再生装置の機能構成を示すブロック図
【図２】本発明の実施の形態１に係る音声／映像情報記録再生装置のポストレコーディングモード記録の際に関係するブロック図
【図３】本発明の実施の形態１に係る音声／映像情報記録再生装置のポストレコーディング記録の際に関係するブロック図
【図４】本発明の実施の形態１に係る音声／映像情報記録再生装置のポストレコーディング再生の際に関係するブロック図
【図５】本発明の実施の形態１に係る音声／映像情報記録再生装置におけるポストレコーディングモード記録時の動画ファイルの記録形態を示す図
【図６】本発明の実施の形態１に係る音声／映像情報記録再生装置におけるポストレコーディング記録時の裏音声ファイルの記録形態を示す図
【図７】本発明の実施の形態１に係る音声／映像情報記録再生装置のポストレコーディング記録時の動作モデルを示す図
【図８】本発明の実施の形態１に係る音声／映像情報記録再生装置におけるポストレコーディング記録時の動画バッファメモリおよび音声バッファメモリ内の符号量の遷移を示す図
【図９】本発明の実施の形態１に係る音声／映像情報記録再生装置のポストレコーディング再生時の動作モデルを示す図
【図１０】本発明の実施の形態１に係る音声／映像情報記録再生装置におけるポストレコーディング再生時の動画バッファメモリおよび音声バッファメモリ内の符号量の遷移を示す図
【図１１】本発明の実施の形態２に係る音声／映像情報記録再生装置の機能構成を示すブロック図
【図１２】本発明の実施の形態２に係る音声／映像情報記録再生装置のポストレコーディング記録の際に関係するブロックを示す図
【図１３】本発明の実施の形態２に係る音声／映像情報記録再生装置のポストレコーディング再生の際に関係するブロックを示す図
【図１４】本発明の実施の形態３に係る音声／映像情報記録再生装置の機能構成を示すブロック図
【図１５】本発明の実施の形態３に係る音声／映像情報記録再生装置のポストレコーディング再生の際に関係するブロックを示す図
【図１６】従来の音声／映像情報記録再生装置の機能構成を示すブロック図
【図１７】従来の音声／映像情報記録再生装置におけるポストレコーディングモード記録時の動画ファイルの記録形態を示す図
【図１８】従来の音声／映像情報記録再生装置におけるポストレコーディングモード記録時の動画ファイルのトランスポートストリームの構造図
【図１９】動画ファイルがＵＤＦファイルシステムによって管理されている状態を示す図
【図２０】ＵＤＦファイルシステムのアロケーション・ディスクリプタのデータ構造を示す図
【図２１】従来の音声／映像情報記録再生装置におけるファイル再生時の動作モデルを示す図
【図２２】従来の音声／映像情報記録再生装置におけるポストレコーディング再生時の動画バッファメモリおよび音声バッファメモリ内の符号量の遷移を示す図
【図２３】本発明の実施の形態４に係る音声／映像情報記録再生装置におけるポストレコーディング再生時の動画バッファメモリおよび音声バッファメモリ内の符号量の遷移を示す図
【図２４】本発明の実施の形態１に係る、動画用連続データ領域が長めに確保された場合の音声／映像情報記録再生装置におけるポストレコーディング再生時の動画バッファメモリおよび音声バッファメモリ内の符号量の遷移を示す図
【符号の説明】
【０１１３】
１００  映像信号入力部
１０１  映像圧縮部
１０２  音声信号入力部
１０３  音声圧縮部
１０４  トランスポートストリーム組立部
１０５  ポストレコーディング用ダミーパケット発生部
１１０  映像表示部
１１１  映像伸長部
１１２  音声出力部
１１３  第１音声伸長部
１１４  第２音声伸長部
１６５  第１トランスポートストリーム分解部
１６６  第２トランスポートストリーム分解部
１２０  記録部
１２１  再生部
１３０  ピックアップ
１３１  相変化光ディスク
１４０  再生制御部
１４１  論理ブロック監理部
１６０  連続データ領域検出部
１６１  記録制御部
１６２  ポストレコーディング用記録制御部
１６３  ポストレコーディング用再生制御部
１６４  バッファメモリ
１８０  ポストレコーディングＭＩＸ制御部
【図１】
2011181178.tif 000003
【図２】
2011181178.tif 000004
【図３】
2011181178.tif 000005
【図４】
2011181178.tif 000006
【図５】
2011181178.tif 000007
【図６】
2011181178.tif 000008
【図７】
2011181178.tif 000009
【図８】
2011181178.tif 000010
【図９】
2011181178.tif 000011
【図１０】
2011181178.tif 000012
【図１１】
2011181178.tif 000013
【図１２】
2011181178.tif 000014
【図１３】
2011181178.tif 000015
【図１４】
2011181178.tif 000016
【図１５】
2011181178.tif 000017
【図１６】
2011181178.tif 000018
【図１７】
2011181178.tif 000019
【図１８】
2011181178.tif 000020
【図１９】
2011181178.tif 000021
【図２０】
2011181178.tif 000022
【図２１】
2011181178.tif 000023
【図２２】
2011181178.tif 000024
【図２３】
2011181178.tif 000025
【図２４】
2011181178.tif 000026
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
映像を含む映像ファイルと、裏音声を含む裏音声ファイルと、をいずれもとぎれることなく連続して実時間再生する再生部と、
前記映像ファイルに対する前記裏音声ファイルの開始タイミングを前記映像ファイルと前記裏音声ファイルのいずれとも異なる第３のファイルに記録する記録部と、
を備え、
前記裏音声ファイルの開始タイミングと終了タイミングは、いずれも前記映像ファイルの開始タイミングと終了タイミングの間に存在する、
ことを特徴とする音声／映像情報記録再生装置。
【請求項２】
映像を含む映像ファイルと、裏音声を含む裏音声ファイルを指定する工程と、
前記映像ファイルに対する前記裏音声ファイルの開始タイミングを前記映像ファイルと前記裏音声ファイルのいずれとも異なる第３のファイルに記録する工程と、
から構成され、
前記裏音声ファイルの開始タイミングと終了タイミングは、いずれも前記映像ファイルの開始タイミングと終了タイミングの間に存在する、
ことを特徴とする音声／映像情報記録再生方法。